(57)【要約】【課題】ＩＰｖ６技術を利用して、単一の端末に複数のＩＰアドレスが割り当て可能な画像処理装置を提供することを目的とする。【解決手段】機器に設定してある機能数を取得する（ステップＳ１００）。次に、全ての機能数のＩＰアドレスを生成したか判断する（ステップＳ１０１）。本実施形態では、３つの機能に対応するＩＰアドレスＡ〜Ｃが生成されたかを判断する。全ての機能数のＩＰアドレスを生成していない場合には（ステップＳ１０１／ＮＯ）、ＩＰアドレスを自動生成し（ステップＳ１０２）、自動生成したＩＰアドレスが使用できるかステートレス機能を使って確認する（ステップＳ１０３）。【選択図】図４
2007174106.tif 000002
【特許請求の範囲】
【請求項１】
複数の画像処理機能を有する画像処理装置において、
前記複数の画像処理機能ごとにＩＰアドレスが設定してある状態で、
該複数の画像処理機能ごとに使用するＩＰアドレスを振り分ける第１の振り分け手段を有することを特徴とする画像処理装置。
【請求項２】
複数の画像処理機能を有する画像処理装置において、
前記複数の画像処理機能ごとにＩＰアドレスが設定してある状態で、
複数のユーザへ複数のＩＰアドレスを振り分ける第２の振り分け手段を有することを特徴とする画像処理装置。
【請求項３】
前記複数の画像処理機能ごとにＩＰアドレスを生成する第１のＩＰアドレス生成手段を有することを特徴とする請求項１記載の画像処理装置。
【請求項４】
前記複数のユーザごとにＩＰアドレスを生成する第２のＩＰアドレス生成手段を有することを特徴とする請求項２記載の画像処理装置。
【請求項５】
前記ＩＰアドレスはＩＰｖ６に対応する１２８ビットの情報であり、
該ＩＰアドレス中の下位６４ビットの内、８ビットはユーザが設定可能であり、
５４ビットは、ランダムは数字に割り当てることを特徴とする請求項１から４のいずれか１項に記載の画像処理装置。
【請求項６】
前記ＩＰアドレス中のユーザが設定可能な８ビットは、増減可能であることを特徴とする請求項５記載の画像処理装置。
【請求項７】
前記第１の振り分け手段は、前記複数の画像処理機能ごとにＩＰアドレスを振り分ける際に、優先順位を設定することを特徴とする請求項１記載の画像処理装置。
【請求項８】
前記第２の振り分け手段は、前記ユーザごとにＩＰアドレスを振り分ける際に、優先順位を設定することを特徴とする請求項２記載の画像処理装置。
【請求項９】
前記第１の振り分け手段は、前記複数の画像処理機能に対してＩＰアドレスの振り分けに失敗した場合に、ユーザに報知することを特徴とする請求項７記載の画像処理装置。
【請求項１０】
前記第２の振り分け手段は、前記複数のユーザに対してＩＰアドレスの振り分けに失敗した場合に、ユーザに報知することを特徴とする請求項８記載の画像処理装置。
【請求項１１】
前記第１の振り分け手段によって複数の画像処理機能にＩＰアドレスが振り分けられた際に、所定のＩＰアドレスが振り分けられた画像処理機能を他のＩＰアドレスではアクセスできないことを特徴とする請求項１記載の画像処理装置。
【請求項１２】
前記第２の振り分け手段によって複数のユーザにＩＰアドレスが振り分けられた際に、ユーザに振り分けられたＩＰアドレスが、該ユーザが使用できる画像処理機能に振り分けられたＩＰアドレスと比較する比較手段を有することを特徴とする請求項２記載の画像処理装置。
【請求項１３】
前記複数の画像処理機能ごとに振り分けられたＩＰアドレスにおいて、
特定の画像処理機能に振り分けられたＩＰアドレスと異なるＩＰアドレスからアクセスがあった場合には、その旨を表示することを特徴とする請求項１から１２のいずれか１項に記載の画像処理装置。
【請求項１４】
前記ユーザごとに振り分けられたＩＰアドレスにおいて、
特定のユーザに振り分けられたＩＰアドレスと異なるＩＰアドレスからアクセスがあった場合には、その旨を表示することを特徴とする請求項１から１２のいずれか１項に記載の画像処理装置。
【発明の詳細な説明】
【技術分野】
【０００１】
本発明は、ＩＰｖ６を利用可能なネットワーク環境において使用する画像処理装置に関する。
【背景技術】
【０００２】
インターネットの利用形態がダイヤルアップ接続からブロードバンドによる常時接続へと移行し、この常時接続のインターネット環境が広く普及されてきている。また、インターネットへの接続がコンピュータのみだったものが、近年では、携帯電話やインターネット電話（ＶｏＩＰ：Voice over IP）などでも接続が可能となっている。
【０００３】
このように、様々な用途に拡大しつつあるユビキタス環境の実現に伴い、ＩＰ（Internet Protocol）アドレスの枯渇化が問題となっている。現在、日常的に利用されているＩＰはＩＰｖ４（Internet Protocol version 4）と呼ばれるものであり、アドレスの空間が、２32＝約４３億個である。
【０００４】
今や世界の人口が約６０億人であることから、１人につき１個のＩＰアドレスを割り当てることができず、さらには、家電や自動車などにもインターネット技術が応用されることなどを考慮しても、ＩＰアドレスの枯渇問題は早急に解決すべき課題となっている。
【０００５】
そこで、従来のＩＰｖ４から、次世代のＩＰであるＩＰｖ６（Internet Protocol version 6）へと移行がなされてきた。このＩＰｖ６は、ＩＰアドレスの空間が２128に拡大されており、ＩＰｖ４の２96倍のアドレス空間を有していることになる。そして、この膨大なアドレス空間が、ＩＰｖ６における最大のメリットと言われている。
【０００６】
例えば、従来のＩＰｖ４では、前述したＩＰアドレスの枯渇化対策としてＩＰアドレスの使用を少なくするために、社内や家庭内でのＬＡＮ（Local Area Network）環境下ではプライベートＩＰアドレスを利用している。また、外部（ＬＡＮ環境外）へ接続する場合にはグローバルＩＰアドレスを利用している。そして、プライベートＩＰアドレスとグローバルＩＰアドレスとの間でＩＰ通信を行う場合に、ＮＡＴ（National Address Translation）を用いてＩＰアドレスを変換させて両者を対応付けていた。
【０００７】
しかし、ＩＰｖ６ではアドレス空間がほぼ無限にあるため、例えば、１端末に対して複数のＩＰアドレスを持たせることも可能であり、また、ＩＰアドレスの使用を節約するようなプライベートＩＰアドレスや、ＮＡＴを不要とすることもできる。
【０００８】
ここで、ＩＥＴＦ（Internet Engineering Task Force：インターネット技術標準化委員会）において定められたＩＰｖ６におけるＩＰアドレスおよびプレフィクスの配布の仕組みについて説明する。
【０００９】
ＩＰｖ６の１２８ビットのアドレス・フィールドは、上位６４ビットのネットワーク・プレフィクス部と、下位６４ビットのインタフェースＩＤ部との２つの部分で構成されている。ネットワーク・プレフィクス部は、ＩＰｖ４におけるネットワーク部に相当し、集約型のアドレス構造を用いて階層的にアドレスを構成することができる。また、インタフェースＩＤ部は、ＩＰｖ４におけるホスト部に相当し、６４ビットで固定長となっている。
【００１０】
ネットワーク・プレフィクス部のさらに上位のビットは、ＩＰアドレスの長さをビット数でＩＰアドレス部分であり、これをプレフィクスと呼ぶ。このプレフィクスは、例えば、ＩＳＰ（Internet Service Provider：インターネット接続サービス事業者）が加入者に対して与えるものである。また、このビット数で示される長さ、すなわちプレフィクス長は可変である。
【００１１】
また、上述した加入者との間のＩＰ接続に用いられるＩＳＰ側のルータをＰＥ（Provider Edge）ルータ、社内や家庭内におけるインターネット接続部のルータをＣＰＥ（Customer Premises Equipment）ルータと呼んでいる。このＣＰＥルータは、サーバより付与されたプレフィクスに続くアドレスを生成して管理する。
【００１２】
そして、ＣＰＥルータに接続されるユーザ端末に対して、上位６４ビットのネットワーク・プレフィクス部に対応するアドレスを付与する。各ユーザ端末は、付与されたこのアドレスに自らの識別子として、上述したインタフェースＩＤ部の下位６４ビットを合わせて、１２８ビットのＩＰｖ６アドレスを生成することになる。
【００１３】
なお、ＤＨＣＰ（Dynamic Host Configuration Protocol）を利用してＣＰＥルータに対してプレフィクス情報を付与することにより、ユーザ端末へのＩＰアドレスを手動にて設定する必要がなくなる。また、ＣＰＥルータからユーザ端末へ付与される上位６４ビットのネットワーク・プレフィクス部対応のアドレスについては、ＩＰｖ６ネットワーク・アドレス（プレフィクス）の標準仕様としてＲＡ（Router Advertisement）が用いられる。これによって、ユーザ端末の使用者は、自身でユーザ端末にＩＰアドレスを設定する必要がない。
【００１４】
また、ユーザ端末においては、インタフェースＩＤ部として、ＥＵＩ−６４（64-bit Extended Unique Identifier）を用いてもよい。これは、ＩＥＥＥ（Institute of Electrical and Electronics Engineers：米国電気電子学会）が定めているアドレス体系であり、４８ビットのＭＡＣアドレスから６４ビット長のビット列を生成する方式である。または、ランダムな数の生成などを用いても良い。
【００１５】
これらの内容は、ＩＥＴＦで定められた標準文書であるＲＦＣ（Request for Comments）に開示されている（非特許文献１参照）。また、ユーザ端末で複数のＩＰアドレスを有する従来技術としては、特許文献１及び特許文献２に開示された発明が公知である。
【００１６】
特許文献１には、１台の磁気ディスク装置を複数の異なる性格の記憶装置として管理できるようにする発明が開示されている。また、特許文献２には、一つのエンド端末で、一つのアプリケーションの使用環境をＩＰｖ６アドレスにより使い分ける発明が開示されている。
【特許文献１】特開平５−２６５９１４号公報
【特許文献２】特開２００５−０４５４７２号公報
【非特許文献１】IETF Request for Comments（http://www.ietf.org/rfc.html）
【発明の開示】
【発明が解決しようとする課題】
【００１７】
従来の画像処理装置において、ネットワークインターフェースを１つ有する機器に割り当て可能なＩＰアドレスは１つであるため、複数の画像処理機能であるスキャナ、プリンタ、ファクシミリなどの複数の機能有する画像処理装置であってもネットワーク上の他の端末から識別するためのアドレスは１つのみであるため、１つの端末としか認識されず、この機器を全て１つのＩＰアドレスを介してサービスを提供しなければならない。
【００１８】
本発明は係る問題に鑑みてなされたものであり、ＩＰｖ６技術を利用して、単一の端末に複数のＩＰアドレスが割り当て可能な画像処理装置を提供することを目的とする。
【課題を解決するための手段】
【００１９】
上記目的を達成するために、請求項１記載の画像処理装置は、複数の画像処理機能を有する画像処理装置において、複数の画像処理機能ごとにＩＰアドレスが設定してある状態で、該複数の画像処理機能ごとに使用するＩＰアドレスを振り分ける第１の振り分け手段を有することを特徴とする。
【００２０】
請求項２記載の画像処理装置は、複数の画像処理機能を有する画像処理装置において、複数の画像処理機能ごとにＩＰアドレスが設定してある状態で、複数のユーザへ複数のＩＰアドレスを振り分ける第２の振り分け手段を有することを特徴とする。
【００２１】
請求項３記載の発明は、請求項１記載の画像処理装置であって、複数の画像処理機能ごとにＩＰアドレスを生成する第１のＩＰアドレス生成手段を有することを特徴とする。
【００２２】
請求項４記載の発明は、請求項２記載の画像処理装置であって、複数のユーザごとにＩＰアドレスを生成する第２のＩＰアドレス生成手段を有することを特徴とする。
【００２３】
請求項５記載の発明は、請求項１から４のいずれか１項に記載の画像処理装置であって、ＩＰアドレスはＩＰｖ６に対応する１２８ビットの情報であり、該ＩＰアドレス中の下位６４ビットの内、８ビットはユーザが設定可能であり、５４ビットは、ランダムは数字に割り当てることを特徴とする。
【００２４】
請求項６記載の発明は、請求項５記載の画像処理装置であって、ＩＰアドレス中のユーザが設定可能な８ビットは、増減可能であることを特徴とする。
【００２５】
請求項７記載の発明は、請求項１記載の画像処理装置であって、第１の振り分け手段は、複数の画像処理機能ごとにＩＰアドレスを振り分ける際に、優先順位を設定することを特徴とする。
【００２６】
請求項８記載の発明は、請求項２記載の画像処理装置であって、第２の振り分け手段は、ユーザごとにＩＰアドレスを振り分ける際に、優先順位を設定することを特徴とする。
【００２７】
請求項９記載の発明は、請求項７記載の画像処理装置であって、第１の振り分け手段は、複数の画像処理機能に対してＩＰアドレスの振り分けに失敗した場合に、ユーザに報知することを特徴とする。
【００２８】
請求項１０記載の発明は、請求項８記載の画像処理装置であって、第２の振り分け手段は、複数のユーザに対してＩＰアドレスの振り分けに失敗した場合に、ユーザに報知することを特徴とする。
【００２９】
請求項１１記載の発明は、請求項１記載の画像処理装置であって、第１の振り分け手段によって複数の画像処理機能にＩＰアドレスが振り分けられた際に、所定のＩＰアドレスが振り分けられた画像処理機能を他のＩＰアドレスではアクセスできないことを特徴とする。
【００３０】
請求項１２記載の発明は、請求項２記載の画像処理装置であって、第２の振り分け手段によって複数のユーザにＩＰアドレスが振り分けられた際に、ユーザに振り分けられたＩＰアドレスが、該ユーザが使用できる画像処理機能に振り分けられたＩＰアドレスと比較する比較手段を有することを特徴とする。
【００３１】
請求項１３記載の発明は、請求項１から１２のいずれか１項に記載の画像処理装置であって、複数の画像処理機能ごとに振り分けられたＩＰアドレスにおいて、特定の画像処理機能に振り分けられたＩＰアドレスと異なるＩＰアドレスからアクセスがあった場合には、その旨を表示することを特徴とする。
【００３２】
請求項１４記載の発明は、請求項１から１２のいずれか１項に記載の画像処理装置であって、ユーザごとに振り分けられたＩＰアドレスにおいて、特定のユーザに振り分けられたＩＰアドレスと異なるＩＰアドレスからアクセスがあった場合には、その旨を表示することを特徴とする。
【発明の効果】
【００３３】
本発明によれば、ＩＰｖ６に対応する単一の画像処理装置に複数のＩＰアドレスを持たせることができるため、ＩＰｖ６の技術を利用することで、操作性を向上させることができる。
【発明を実施するための最良の形態】
【００３４】
次に、添付した図面を参照し、本実施形態の画像処理装置について説明する。
図１は、本実施形態における画像処理装置の構成を示すブロック図である。
画像処理装置１００は、制御部１０１、操作部１０２、通信処理部１０３、符号／復号化処理部１０４、ＬＡＮ制御部１０５、ルータ１０６、ＲＯＭ１０７、ＲＡＭ１０８、バッファメモリ１０９、読取部１１０、記録部１１１から構成されている。
【００３５】
制御部は、システム制御部であり、各ブロックからなる端末装置全体を制御する。操作部は、各種入力キー、ＬＥＤ、ＬＣＤなどで構成され、ユーザによる各種入力操作や、画像処理装置の動作状況の表示を行う。通信処理部１０３は、モデム、ＮＣＵなどにより構成されＰＳＴＮなどの通信回線に接続され、ＩＴＵ−Ｔ勧告に基づいたプロトコルでの通信制御、通信回線に対する発呼および着呼などの回線制御を行うものである。通信処理部１０３は、ＲＯＭ１０７、ＲＡＭ１０８に格納された制御プログラムの通信制御タスクプログラムによって制御される。
【００３６】
符号／復号化処理部１０４は、画像データを圧縮伸張する符号／復号化処理を行うもので、主にファクシミリ通信で用いられるようなＭＨ、ＭＲなどの符号／復号化方式、あるいは装置の仕様によっては、ＪＰＥＧ、ＭＰＥＧなどの符号／復号化方式をサポートする。
【００３７】
ＬＡＮ制御部１０５は、ＬＡＮケーブルを介してＩＰｖ６に対応するルータ１０６に接続されている。ＲＯＭ１０７は、制御部１０１の制御プログラムやＯＳプログラムなどが格納され、制御部１０１は、ＲＯＭ１０７に格納された制御プログラムに従って端末装置の動作を制御する。ＲＡＭ１０８は、演算処理や、ユーザが登録した設定知や装置の管理データなどの記憶、さらには端末装置をＩＰｖ６ルータ１０６に接続した時に取得するＩＰアドレスの記憶などに使用される。
【００３８】
バッファメモリは、読み取った画像データや受信した画像データの蓄積、およびＬＡＮで送受信されるデータパケットの蓄積等を行うためのものである。読取部１１０は、光電変換素子によって原稿を光学的に読み取り、電気的な画像データに変換した画像信号に２値化処理、中間調処理などの各種画像処理を施して高精細な画像データを出力するものである。記録部は、画像データを記憶するために、記録画像データに対し解像度変換処理やスムージング処を行う。
【００３９】
図２は、各機能に合わせて割り振られたＩＰアドレスとＦＱＤＮとのテーブルを示した図である。
図２に示すテーブルには、プリンタ機能とスキャナ機能及びＦＡＸ機能に、それぞれＩＰアドレスＡ〜Ｃが割り当てられ、ＦＱＤＮ（Fully Qualified Domain Name）Ｘ〜Ｚが割り当てられている。各機能を使用する際には、テーブルからＩＰアドレスやＦＱＤＮを取得する。
【００４０】
また、図３に示すように、例えばユーザが３人登録してある場合には、ユーザ毎の機能にＩＰアドレスＡ〜ＣとＦＱＤＮＸ〜Ｚが割り当てられたテーブルを有する。各ユーザは、ログインして、図１に示すプリンタ機能やスキャナ機能、ＦＡＸ機能を使用する時には、このテーブルからＩＰアドレスやＦＱＤＮを取得する。また、ＩＰアドレスやＦＱＤＮから、各ユーザを取得することもできる。
図２、図３に示すテーブルは、図１に示すＲＡＭ１０８に記憶されており、必要時にＲＯＭから読み出すことが可能である。
【００４１】
次に、図４、図５を参照して、本実施形態における処理動作を説明する。
まず、機器に設定してある機能数を取得する（ステップＳ１００）。ここでは、例えば、図２に示すように、本実施形態では、プリンタ機能、スキャナ機能、ＦＡＸ機能の３つの機能があり、これらの機能数を取得する。
【００４２】
次に、全ての機能数のＩＰアドレスを生成したか判断する（ステップＳ１０１）。本実施形態では、３つの機能に対応するＩＰアドレスＡ〜Ｃが生成されたかを判断する。全ての機能数のＩＰアドレスを生成していない場合には（ステップＳ１０１／ＮＯ）、ＩＰアドレスを自動生成し（ステップＳ１０２）、自動生成したＩＰアドレスが使用できるかステートレス機能を使って確認する（ステップＳ１０３）。
【００４３】
また、図５に示すように、機器に設定してあるユーザ数を取得する（ステップＳ２００）。本実施形態では、図３に示すようにユーザＡ〜Ｃ分を取得する。次に、全てのユーザ数のＩＰアドレスを生成したかを判断する（ステップＳ２０１）。
【００４４】
全てのユーザ数のＩＰアドレスを生成していない場合は（ステップＳ２０１／ＮＯ）、ＩＰアドレスを自動生成し（ステップＳ２０２）、次に、自動生成したＩＰアドレスが使用できるかステートレス機能を使って確認する（ステップＳ２０３）。
【００４５】
次に、図６を参照して、ＩＰｖ６アドレスの構成を示す。
図６（ａ）、（ｂ）に示すＩＰｖ６アドレスは、１２８ビッドであり、上位６４ビットは、ルータ１０６から通知されるネットワーク・プレフィクスである。下位６４ビットの中で、上位８ビットをユーザが自由に設定して、下位５８ビットをランダムに自動生成する。
【００４６】
下位６４ビット中のユーザが設定可能な８ビットに関し、図６（ｂ）に示すようにユーザが自由に設定変更可能である。また、残りの下位５８ビットは、ランダムに生成することが可能である。
【００４７】
次に、図７、図８を参照して、プリンタ機能でデータ受信した際の処理動作を説明する。
読取部１１０では、プリンタ印刷物のデータ受信があるかを判断し（ステップＳ３００）、無い場合には待機状態とし（ステップＳ３００／ＮＯ）、データ受信がある場合には（ステップＳ３００／ＹＥＳ）次に、送信先のＩＰアドレスがプリンタ機能で使用できるアドレスかをチェックする（ステップＳ３０１）。使用可能なＩＰアドレスの場合には（ステップＳ３０１／ＹＥＳ）、そのままプリンタ印刷処理を行い、送信先のＩＰアドレスがプリンタに振り分けられているＩＰアドレスと異なる場合には（ステップＳ３０１／ＮＯ）、プリンタ異常処理として、そのプリンタ機能の使用を拒否する。
【００４８】
また、図８に示すように、読取部１１０でプリンタ印刷物のデータ受信があるかを判断する（ステップＳ４００）。データ受信が無い場合には（ステップＳ４００）、待機状態となり、データ受信がある場合には（ステップＳ４００／ＹＥＳ）、予め登録してあるユーザと受信したＩＰアドレスが一致するか否かを判断する（ステップＳ４０１）。一致する場合には、そのユーザがプリンタ機能を使用できるかを判断し（ステップＳ４０２）、使用可の場合は（ステップＳ４０２／ＹＥＳ）、そのままプリンタ印刷処理を行う。
【００４９】
また、ステップＳ４０１において、ＩＰアドレスが一致しない場合（ステップＳ４０１／ＮＯ）、ステップＳ４０２において、プリンタ機能の使用を許可しない場合には（ステップＳ４０２／ＮＯ）、プリンタ異常処理としてプリンタ機能の使用を拒否する。
【００５０】
本実施形態によれば、ＩＰｖ６に対応する単一の画像処理装置に複数のＩＰアドレスを持たせることができるため、ＩＰｖ６の技術を利用することで、操作性を向上させることができる。
【図面の簡単な説明】
【００５１】
【図１】本実施形態における画像処理装置の構成を示すブロック図である。
【図２】本実施形態における各機能に合わせて割り振られるＩＰアドレスとＦＱＤＮとのテーブルを示した図である。
【図３】本実施形態における各ユーザに割り振られるＩＰアドレスとＦＱＤＮとのテーブルを示した図である。
【図４】本実施形態における画像処理装置の処理動作を示したフローチャートである。
【図５】本実施形態における画像処理装置の処理動作を示したフローチャートである。
【図６】ＩＰｖ６におけるＩＰアドレスの構成を示した図である。
【図７】本実施形態における画像処理装置の処理動作を示したフローチャートである。
【図８】本実施形態における画像処理装置の処理動作を示したフローチャートである。
【符号の説明】
【００５２】
１００    画像処理装置
１０１    制御部
１０２    操作部
１０３    通信処理部
１０４    符号／復号化処理部
１０５    ＬＡＮ制御部
１０６    ルータ
１０７    ＲＯＭ
１０８    ＲＡＭ
１０９    バッファメモリ
１１０    読取部
１１１    記録部
【図１】
2007174106.tif 000003
【図２】
2007174106.tif 000004
【図３】
2007174106.tif 000005
【図４】
2007174106.tif 000006
【図５】
2007174106.tif 000007
【図６】
2007174106.tif 000008
【図７】
2007174106.tif 000009
【図８】
2007174106.tif 000010